(57)【要約】      （修正有）【課題】ロープ本体の長さ方向に所定の間隔をおいて、ロープ本体と同一の構造を有し、同程度の太さを有する複数のアイスプライスを形成し、突出せしめてなるロープの提供。【解決手段】ロープ本体２と同一の構造を有するアイスプライス用ロープ５の一端にアイスプライス６を形成し、アイスプライス用ロープ５の他端を個々のストランド４に分解し、分解したストランド４をロープ本体２のストランド４の間に組み込んでなるロープ。【選択図】図２
2020079469.tif 000002
【特許請求の範囲】
【請求項１】
ロープ本体（２）と同一の構造を有するアイスプライス用ロープ（５）の一端にアイスプライス（６）を形成し、当該アイスプライス用ロープ（５）の他端を個々のストランド（４）に分解し、当該分解したストランド（４）を前記ロープ本体（２）のストランド（４）の間に組み込んでなることを特徴とする、ロープのアイスプライスの構造
【請求項２】
ロープ本体（２）と同一の構造を有するアイスプライス用ロープ（７）の両端を個々のストランド（４）に分解し、当該分解したストランド（４）を前記ロープ本体（２）のストランド（４）の間に組み込み、前記アイスプライス用ロープ（７）の中間部分においてアイスプライス（３）を形成してなることを特徴とする、ロープのアイスプライスの構造
【発明の詳細な説明】
【技術分野】
【０００１】
本発明は、図１に示されるように主として組紐構造のロープ本体２を有するロープ１であって、そのロープ本体２の長さ方向に所定の間隔をおいて、複数のアイスプライス３を形成してなるものであって、漁業用の延縄や、避難用ロープに使用することができるロープの構造に関するものである。
【背景技術】
【０００２】
前述のような組紐構造のロープとしては、特開２０００−２３４２８５公報に示されるようなものが知られている。また当該公報の図５に示されるように、かかる組紐構造のロープの端末部にアイスプライスを形成することも、広く行われている。
【０００３】
しかしながら図１に示すように、ロープ１の長さ方向に所定の間隔をおいて、複数のアイスプライス２を形成したものは知られていない。これに近いものとしては、特開昭５６−９１０５１号公報に示されるように、組紐を構成する素線をループを形成せしめ、そのループをロープ外に突出させたものが知られている。
【０００４】
しかしながらこの組紐においては、ループは組紐の素線で形成されているのであって、あまりに細いものであり、このループに大きな荷重を作用させてその荷重をロープに負担させることは不可能である。
【先行技術文献】
【特許文献】
【０００５】
【特許文献１】特開２０００−２３４２８５公報
【特許文献２】特開昭５６−９１０５１号公報
【発明の概要】
【発明が解決しようとする課題】
【０００６】
本発明はかかる事情に鑑みなされたものであって、図１に示すように、ロープ本体２の長さ方向に所定の間隔をおいて、ロープ本体２と同一の構造を有し、同程度の太さを有する複数のアイスプライス３を形成し、突出せしめてなるロープ１を形成することを目的とするものである。
【課題を解決するための手段】
【０００７】
而して本願第一の発明は、ロープ本体と同一の構造を有するアイスプライス用ロープの一端にアイスプライスを形成し、当該アイスプライス用ロープの他端を個々のストランドに分解し、当該分解したストランドを前記ロープ本体に組み込んでなることを特徴とするものである。
【０００８】
また本願第二の発明は、ロープ本体と同一の構造を有するアイスプライス用ロープの両端を個々のストランドに分解し、当該分解したストランドを前記ロープ本体に組み込み、当該アイスプライス用ロープの中間部分においてアイスプライスを形成してなることを特徴とするものである。
【図面の簡単な説明】
【０００９】
【図１】本発明によるアイスプライスを形成したロープの正面図である。
【図２】本願第一の発明においてアイスプライスを形成する前の状態を示す正面図
【図３】本願第一の発明のロープにアイスプライスを形成した状態を示す正面図
【図４】本願第二の発明においてアイスプライスを形成する前の状態を示す正面図
【図５】本願第二の発明のロープにアイスプライスを形成した状態を示す正面図
【発明を実施するための形態】
【００１０】
以下本発明を図面に基づいて説明する。図２は第一の発明における、前記ロープ１にアイスプライス３を形成する前の状態を示すものであって、当該ロープ１のロープ本体２は図２に示すように、八本のストランド４を角八つ打ちの組紐構造に組んだクロスロープである。
【００１１】
なお本発明におけるロープ本体２は、必ずしも角八つ打ちのクロスロープである必要はなく、偶数のストランド４を筒状の組紐構造に組んだ構造を有しておれば足り、八つ打ち、十二打ちなどの構造であってもよい。さらに三つ打ち、四つ打ちなどの撚りロープであっても差し支えない。
【００１２】
次に５はアイスプライス用ロープであって、前記ロープ１のロープ本体２と同一の構造を有する短尺のロープである。そしてこのアイスプライス用ロープ５の一端に通常の方法によりアイスプライス６を形成し、当該アイスプライス用ロープ５の他端を個々のストランド４に分解している。
【００１３】
そしてこのロープ本体２とアイスプライス用ロープ５とを図３に示すように、アイスプライス用ロープ５の分解したストランド４を、ロープ１の途中から、ロープ本体２のストランド４の間に挿入して組み込んでいる。
【００１４】
このようにしてロープ本体２の長さ方向に沿って所定の間隔をおいて、複数のアイスプライス用ロープを組み込むことにより、ロープ１の所定間隔ごとにアイスプライス３を形成するのである。
【００１５】
なお図３においては、作図の都合上ロープ本体２が屈曲しており、アイスプライス用ロープ５が一方のロープ本体２と直線状に延びているように描かれているが、アイスプライス用ロープ５をすべてロープ本体２に組み込んだ後、ロープ本体２の両端を引っ張れば、ロープ本体２が直線状に延び、そこにアイスプライス用ロープ５が枝分かれして、図１に示す状態となる。
【００１６】
また図４は、第二の発明のロープ１にアイスプライス３を形成する前の状態を示すものであって、ロープ１のロープ本体２は図２と同様に角八つ打ちのクロスロープであるが、それ以外の組織であってもよいのは第一の発明のおけると同様である。
【００１７】
７はアイスプライス用ロープであって、前記ロープ１のロープ本体２と同一の構造を有する短尺のロープである。そしてこのアイスプライス用ロープ７の両端は個々のストランド４に分解されている。
【００１８】
そしてこのロープ１とアイスプライス用ロープ７とを図５に示すように、アイスプライス用ロープ７の両端の分解したストランド４を、ロープ１の途中から、ロープ本体２のストランド４の間に挿入して組み込み、当該アイスプライス用ロープ７の中間部分により、アイスプライス３を形成している。
【００１９】
本発明によれば、アイスプライス用ロープ５、７の端部の分解したストランド４を、ロープ１の途中からストランド４の間に挿入して組み込むことにより、ロープ１の中間部分にアイスプライス３を形成することができるのであり、当該ロープ１の所定間隔ごとにアイスプライス用ロープ５、７を組み込むことにより、所定間隔ごとにアイスプライス３を形成することができる。
【００２０】
そしてそのアイスプライス３はロープ本体２と同程度の太さのロープにより形成されており、十分な強度を有し、例えば延縄用ロープの枝縄の取り付け部として、また避難用ロープの足掛けなどとして、各種の用途に使用できる。
【符号の説明】
【００２１】
１  ロープ
２  ロープ本体
３  アイスプライス
４  ストランド
５、７  アイスプライス用ロープ
６  アイスプライス
【図１】
2020079469.tif 000003
【図２】
2020079469.tif 000004
【図３】
2020079469.tif 000005
【図４】
2020079469.tif 000006
【図５】
2020079469.tif 000007